(57)【特許請求の範囲】
【請求項１】
挿入部及び操作部により主要部が構成され、該操作部に複数の内視鏡管路用の口金を備える第１の内視鏡を収容して洗浄槽に予め定めた状態で配設される第１のトレーと、
前記洗浄槽に配設された前記第１のトレーに収容された第１の内視鏡の内視鏡管路の口金に自動で接続される複数のノズルを備える流体供給ユニットを有する内視鏡管路内自動洗浄消毒機構を備える内視鏡洗浄消毒装置本体と、
前記第１のトレーの外形形状と同形状であって、前記内視鏡管路自動洗浄消毒機構に非対応な、挿入部、操作部及びユニバーサルコードにより主要部が構成された第２の内視鏡を収容して、前記洗浄槽に予め定めた状態で配設される第２のトレーと、
前記洗浄槽に配設された内視鏡が、前記内視鏡管路自動洗浄消毒機構に対応する第1の内視鏡であるか前記内視鏡管路自動洗浄消毒機構に非対応な第２の内視鏡であるかを判別する判別手段と、
前記内視鏡管路自動洗浄消毒機構に非対応な第２の内視鏡の内視鏡管路を当該内視鏡管路自動洗浄消毒機構で洗浄可能にする洗浄アダプタと、
を具備することを特徴とする内視鏡洗浄消毒装置。
【請求項２】
前記洗浄アダプタは、
アダプタ本体と、
前記アダプタ本体の一側面に設けられた複数の第１の口金と、
前記アダプタ本体の他側面に設けられた複数の第２の口金にそれぞれ連通固定され、前記第２の内視鏡が備える複数の内視鏡管路のそれぞれに対応して配設される連結部を設けた複数の接続チューブと、
を具備することを特徴とする請求項１に記載の内視鏡洗浄消毒装置。
【請求項３】
前記洗浄アダプタの複数の第１の口金は、前記第１の内視鏡が備える複数の内視鏡管路の口金と同形状で同位置に設けられていることを特徴とする請求項２に記載の内視鏡洗浄消毒装置。
【請求項４】
前記第２のトレーは、操作部収容部を構成する外形壁面の一部に前記洗浄アダプタを配設するアダプタ配設部を備えることを特徴とする請求項３に記載の内視鏡洗浄消毒装置。
【請求項５】
前記判別手段は、
前記第１の内視鏡及び前記第２の内視鏡にそれぞれ設けられ識別情報を記憶した送信デバイスと、
前記内視鏡洗浄消毒装置本体に設けられ前記送信デバイスにそれぞれ記憶されている情報を読み取る受信デバイスと、
を備えることを特徴とする請求項１に記載の内視鏡洗浄消毒装置。
【請求項６】
前記判別手段の前記送信デバイスを、前記第１の内視鏡及び前記第２の内視鏡を収容する第２のトレーにそれぞれ設けたことを特徴とする請求項５に記載の内視鏡洗浄消毒装置。
【発明の詳細な説明】
【技術分野】
【０００１】
本発明は、使用後の内視鏡の表面及び内視鏡管路を自動で洗浄、及び消毒する内視鏡洗浄消毒装置に関する。
【背景技術】
【０００２】
内視鏡は、検査や治療の目的で体腔内に挿入される。体腔内に挿入された内視鏡は、挿入部の外表面に体液や汚物等が付着するだけでなく、挿入部に設けられている処置具チャンネルを兼ねる吸引管路等の内視鏡管路内にも体液、汚物等が付着する。そのため、使用後の内視鏡においては、外表面、及び内視鏡管路を洗浄、消毒する必要がある。
【０００３】
一般に、洗浄消毒装置を用いて内視鏡の洗浄、及び消毒を行う場合、ユーザは、装置本体の洗浄槽に使用済みの内視鏡をセットする。次いで、内視鏡管路内を洗浄、消毒するため、内視鏡に備えられている各管路の口金と、洗浄槽に設けられた内視鏡管路内へ液体、気体等の流体を供給する各種供給用ノズルとをチューブ等を介して接続する。
【０００４】
次に、ユーザは、洗浄消毒装置に設けられているトップカバーを閉じ、洗浄消毒装置に備えられている処理開始スイッチをＯＮ操作する。すると、洗浄工程、消毒工程が自動で開始される。
【０００５】
洗浄工程において、洗浄槽内に所定水位の洗浄液が供給されると、洗浄が開始される。洗浄工程中、洗浄液は循環され、その水流にて内視鏡の外表面が洗浄される。一方、各供給用ノズルから供給される洗浄液によって各内視鏡管路内が洗浄される。
【０００６】
洗浄工程が終了すると、濯ぎ工程が行われ、その後、消毒工程が行われる。この消毒工程においても、洗浄液の場合と同様に、洗浄槽に、所定の濃度に調整された消毒液が所定水位まで供給されて、内視鏡の外表面及び各内視鏡管路内が消毒される。
【０００７】
その後、内視鏡の外表面及び各内視鏡管路内に、エアまたはアルコールが供給され、内視鏡の外表面及び各内視鏡管路内の乾燥を行って一連の工程を終了する。
【０００８】
例えば、特許文献１には内視鏡の設置位置を自動的に認識・確認し、内視鏡の設置位置が予め設定された設置位置から外れた場合にはその状況を報知することができるとともに、内視鏡各部位に合わせた洗浄を自動的に行うことができる内視鏡洗浄装置と洗浄情報付き内視鏡が示されている。
【０００９】
しかし、特許文献１の内視鏡洗浄消毒装置でも、洗浄、濯ぎ、消毒、乾燥等の各工程は自動で行われるが、ユーザは内視鏡管路を洗浄消毒するために、洗浄槽内の内視鏡に専用チューブを繋ぐ作業を行わなければならない。
【００１０】
このチューブを内視鏡に接続する煩雑な作業を解消する目的で、例えば内視鏡の操作部の所定位置に各内視鏡管路に連通する口金を設ける一方、内視鏡洗浄消毒装置本体の洗浄槽に前記口金に自動で装着される管路洗浄用ノズルを設けて、管路洗浄用ノズルの内視鏡口金への接続から内視鏡管路の洗浄、消毒までを自動で行う内視鏡洗浄消毒装置も提案されている。
【００１１】
この内視鏡洗浄消毒装置では、図１６に示すように内視鏡洗浄消毒装置本体１０１に備えられた管路内自動洗浄消毒流路を構成する供給路１０２に接続されているポンプ１０３、切替弁１０４の制御を制御部１１０で行う。そして、制御部１１０には流量センサ１０５から出力される検知信号が入力される。
【００１２】
また、制御部１１０は、洗浄槽１０６に配設された内視鏡１２０の操作部１２１に備える複数の内視鏡管路の口金１２２、１２３にそれぞれ接続される内視鏡管路内自動洗浄消毒機構を構成する洗浄ノズル１１１ａ、１１１ｂを進退させる駆動装置１１２ａ、１１２ｂの制御を行う。そして、制御部１１０には検知センサ１１３ａ、１１３ｂから出力される検知信号が入力される。この検知信号は、洗浄ノズル１１１ａが口金１２２に接続されているとき及び洗浄ノズル１１１ｂが口金１２３に接続さているとき制御部１１０に入力される。
【００１３】
具体的に、制御部１１０は、内視鏡１２０が洗浄槽１０６内に所定状態に配設されている状態で、図示しないトップカバーが閉じられ、内視鏡洗浄消毒装置本体１０１に備えられている図示しない処理開始スイッチがＯＮ操作されると、駆動装置１１２ａ、１１２ｂを動作させる。
【００１４】
駆動装置１１２ａ、１１２ｂの駆動に伴い、ノズル１１１ａ、ノズル１１１ｂが内視鏡１２０の口金１２２、１２３に向かって移動される。その後、制御部１１０は、ノズル１１１ａの口金１２２への接続を検知センサ１１３ａからの検知信号で確認し、且つノズル１１１ａの口金１２３への接続を検知センサ１１３ｂからの検知信号で確認すると、前記ポンプ１０３、切替弁１０３等を制御して、規定のプログラムにしたがって洗浄工程、濯ぎ工程を開始する。
【００１５】
すると、例えば洗浄液が供給路１０２に供給され、その後、洗浄液は分岐した供給路を介してノズル１１１ａ、１１１ｂに供給される。なお、図１６は内視鏡洗浄消毒装置本体に備えられた内視鏡管路内自動洗浄消毒機構を説明する図である。
【特許文献１】特開２００２−２７２６８４号公報
【発明の開示】
【発明が解決しようとする課題】
【００１６】
しかしながら、内視鏡管路内自動洗浄消毒機構を備えた内視鏡洗浄消毒装置では、内視鏡管路内自動洗浄消毒機構に対応する内視鏡以外の内視鏡を洗浄消毒することができないという不具合が生じる。
【００１７】
本発明は上記事情に鑑みてなされたものであり、内視鏡管路内自動洗浄消毒機構に対応する内視鏡に加えて、口金の位置或いは操作部の形状等が異なる内視鏡の洗浄消毒も可能な内視鏡洗浄消毒装置を提供することを目的にしている。
【課題を解決するための手段】
【００１８】
本発明の内視鏡洗浄消毒装置は、挿入部及び操作部により主要部が構成され、該操作部に複数の内視鏡管路用の口金を備える第１の内視鏡を収容して洗浄槽に予め定めた状態で配設される第１のトレーと、前記洗浄槽に配設された前記第１のトレーに収容された第１の内視鏡の内視鏡管路の口金に自動で接続される複数のノズルを備える流体供給ユニットを有する内視鏡管路内自動洗浄消毒機構を備える内視鏡洗浄消毒装置本体と、前記第１のトレーの外形形状と同形状であって、前記内視鏡管路自動洗浄消毒機構に非対応な、挿入部、操作部及びユニバーサルコードにより主要部が構成された第２の内視鏡を収容して、前記洗浄槽に予め定めた状態で配設される第２のトレーと、前記洗浄槽に配設された内視鏡が、前記内視鏡管路自動洗浄消毒機構に対応する第1の内視鏡であるか前記内視鏡管路自動洗浄消毒機構に非対応な第２の内視鏡であるかを判別する判別手段と、前記内視鏡管路自動洗浄消毒機構に非対応な第２の内視鏡の内視鏡管路を当該内視鏡管路自動洗浄消毒機構で洗浄可能にする洗浄アダプタとを具備している。
【００１９】
この構成によれば、内視鏡洗浄消毒装置の洗浄槽に内視鏡が配設されたとき、判別手段によって、内視鏡が内視鏡管路自動洗浄消毒機構に対応する内視鏡であるか否かを判別する。そして、判別手段によって内視鏡が内視鏡管路自動洗浄消毒機構に対応すると判定されたとき、洗浄ノズルが内視鏡管路の口金に自動で接続されて、内視鏡管路内の洗浄が自動で実行される。一方、判別手段によって内視鏡が内視鏡管路自動洗浄消毒機構に非対応であると判定されたときには、洗浄ノズルと内視鏡管路の口金とを洗浄アダプタを用いて接続し、その後、内視鏡管路内の洗浄が自動で実行される。
【発明の効果】
【００２０】
本発明によれば、内視鏡管路内自動洗浄消毒機構に対応する内視鏡に加えて、口金の位置或いは操作部の形状等が異なる内視鏡の洗浄消毒も可能な内視鏡洗浄消毒装置を実現できる。
【発明を実施するための最良の形態】
【００２１】
以下、図面を参照して本発明の実施の形態を説明する。  
図１乃至図８は本発明の第１実施形態に係り、図１は内視鏡管路内自動洗浄消毒機構を備える内視鏡洗浄消毒装置の洗浄槽に内視鏡を配設した状態の内視鏡洗浄消毒システムを説明する図、図２は内視鏡管路内自動洗浄消毒機構に対応する内視鏡と、この内視鏡が収容される内視鏡収容部を備えるトレーとを説明する図、図３は内視鏡管路内自動洗浄消毒機構に非対応な内視鏡と、この内視鏡が収容される内視鏡収容部を備えるトレーとを説明する図、図４は洗浄アダプタの構成を説明する図、図５は内視鏡に設けられるＲＦＩＤと、内視鏡洗浄消毒装置本体に設けられるＲＦＩＤリーダとの関係を説明する図、図６は内視鏡洗浄消毒装置本体に備えられた内視鏡管路内自動洗浄消毒機構を説明する図、図７は図３に示した内視鏡を図３に示すトレーの内視鏡収容部に収容した状態を示す図、図８は内視鏡洗浄消毒装置本体の洗浄槽に図３に示した内視鏡を収容したトレーを配設した状態を説明する図である。
【００２２】
図１に示す内視鏡洗浄消毒装置１は、使用済みの内視鏡２０等を洗浄、消毒するための装置であり、内視鏡洗浄消毒装置本体（以下、装置本体と略記する）２とトップカバー３とを備えて構成されている。装置本体２は、内視鏡２０を洗浄するための洗浄槽４を備えている。トップカバー３は、例えば図示しない蝶番を介して装置本体２に開閉自在に設けられている。洗浄槽４の開口は、トップカバー３によって閉塞される構成である。装置本体２の洗浄槽４内には内視鏡２０等を収容したトレー１０が着脱自在に配設される。内視鏡洗浄消毒装置１、トレー１０、及び内視鏡２０で内視鏡洗浄消毒システムが構成されている。
【００２３】
図１に示すように、装置本体２の洗浄槽４内の周壁には、内視鏡２０が備える各内視鏡管路内に洗浄液、消毒液、すすぎ水、アルコール等の液体またはエア等の気体（以下、流体と称す）を、供給する内視鏡管路内自動洗浄消毒機構を構成する流体供給ユニット９ａ及び流体供給ノズル９ｂが設けられている。
【００２４】
本実施形態において流体供給ユニット９ａは、内視鏡２０が具備する内視鏡管路のうち、送気管路、送水管路、及び前方送水管路の基端に設けられた口金（図２等の符号２９参照）にそれぞれ接続される複数のノズル９ｃを備えている。一方、流体供給ノズル９ｂは、内視鏡管路のうち、吸引管路を兼ねた処置具挿通管路の基端に設けられた処置具用口金（図２等の符号２８参照）に接続される。
【００２５】
本実施形態の流体供給ユニット９ａ及び流体供給ノズル９ｂは、制御部（図５、図６の符号６２参照）から出力される指示信号に基づいて駆動されるアクチュエータ等の駆動装置（図６の符号６８、６９参照）によってそれぞれ進退移動される。流体供給ユニット９ａ及び流体供給ノズル９ｂは、前進されたとき、所定の位置に配置されているそれぞれの口金２８、２９に接続される。流体供給ユニット９ａは、前進されたとき、図１に示すように洗浄槽４の周壁から突出してトレー１０内に配置される構成である。
【００２６】
図１、図２に示すように内視鏡洗浄消毒装置１で洗浄される内視鏡２０は、内視鏡管路自動洗浄消毒機構に対応する内視鏡であり、細長な挿入部２１と、操作部２２とにより主要部が構成されている。操作部２２は、挿入部２１の基端側に連設され、操作部側部には流体供給ノズル９ｂが自動で接続される処置具挿通管路用の処置具用口金２８が設けられ、操作部基端側部には流体供給ユニット９ａの複数のノズル９ｃがそれぞれ自動で接続される送気管路、送水管路、及び前方送水管路用の口金２９が設けられている。
【００２７】
なお、内視鏡検査中において、送気管路の口金、送水管路の口金、前方送水管路の口金には内視鏡２０に空気等の気体、或いは水等の液体を供給する送気チューブ（不図示）、送水チューブ（不図示）がそれぞれ接続され、処置具挿通管路の処置具用口金２８には吸引チューブ（不図示）が接続されるようになっている。
【００２８】
内視鏡２０は、口腔から挿入されるタイプ、鼻腔から挿入されるタイプ、或いは肛門から挿入されるタイプなど、タイプ毎に、挿入部２１の長さ寸法、外形寸法、又は操作部２２の外形形状等、形態が異なっている。即ち、内視鏡２０は、挿入部の長さの違い、操作部の形状の違い等によって内視鏡２０Ａ、２０Ｂ、２０Ｃ…のように複数種類になる。なお、操作部の外形形状は、術者の手の大きさの違い、或いは内視鏡管路の数量等によって変化する。
【００２９】
内視鏡２０が収容されるトレー１０は、内視鏡２０を収容するための内視鏡収容部を備えている。トレー１０の外形形状は、トレー１０が洗浄槽４に対して所定の位置に配設されるように、洗浄槽４の周壁に倣って形成されている。加えて、洗浄槽４の底面には、配置位置を位置決めする図示しない溝が形成されている。この溝には、トレー１０の図示しない底面側から突出して設けられた位置決め突起が係入配置されるようになっている。
【００３０】
トレー１０は、底面１１と壁面１２ａ、１２ｂ、１２ｃとを備えて構成されている。壁面１２ａ、１２ｂ、１２ｃは、底面１１から所定寸法、立設している。壁面１２ａは、底面１１の外側に設けられた外形壁面であり、壁面１２ｂは挿入部収容部１３を構成する挿入部収容壁面であり、壁面１２ｃは操作部収容部１４を構成する操作部収容壁面である。
【００３１】
操作部収容部１４を構成する外形壁面１２ａの一部にはユニット挿通部１５及びノズル挿通部１６が形成されている。このことによって、トレー１０が洗浄槽４内に所定の状態で配設されたとき、流体供給ユニット９ａがユニット挿通部１５を介してトレー１０の操作部収容部１４内への移動が可能になるとともに、流体供給ノズル９ｂもノズル挿通部１６を介してトレー１０の操作部収容部１４内への移動が可能になる。
【００３２】
トレー１０の内視鏡収容部は、前記挿入部収容部１３と前記操作部収容部１４とで構成されている。挿入部収容部１３は、外形壁面１２ａと挿入部収容壁面１２ｂとによって略円形に形作られている。操作部収容部１４は、外形壁面１２ａと操作部収容壁面１２ｃとによって構成されている。  
なお、符号１７はその他収容室であり、内視鏡検査で使用されたリユース部品が収容される。また、挿入部収容部１３の略中央には、洗浄液、消毒液、すすぎ水、アルコール等の液体が排出される排液口１８が設けられている。
【００３３】
図２に示すようにトレー１０の挿入部収容部１３の底面には複数の挿入部位置決め突起５が設けられ、操作部収容部１４の底面１１には複数の操作部位置決め突起６及び１つの係入凸部７が設けられている。
【００３４】
挿入部収容部１３の底面に設けられる複数の挿入部位置決め突起５は、挿入部２１の配置位置を位置決めするためのものであり、挿入部２１の径寸法を考慮して配設されている。そして、径寸法が同じ寸法の挿入部２１であれば、トレー１０の挿入部収容部１３に設けられている複数の挿入部位置決め突起５に沿わせて挿入部２１を長さ寸法に関わらず、図１に示すように巻回して収容することが可能である。このとき、挿入部２１の長さ寸法の違いによって、巻回数と、挿入部先端の配置位置とが変化する。
【００３５】
一方、トレー１０の操作部収容部１４の底面１１には複数の操作部位置決め突起６が設けられている。複数の操作部位置決め突起６は、操作部２２の外形形状及び配置位置を考量して配設されている。また、操作部収容部１４の底面に設けられる係入凸部７は、操作部２２に設けられている切り欠き孔２４の位置を考慮して形成されている。操作部２２は、操作部２２の切り欠き孔２４を係入凸部７に係入させた状態で、操作部位置決め突起６内に収容されるようになっている。
【００３６】
なお、トレー１０は、収容する内視鏡２０Ａ、２０Ｂ、２０Ｃ…の種類により内視鏡収容部の突起５、６、係入凸部７の位置等が異なる。したがって、トレー１０も、内視鏡２０Ａ、２０Ｂ、２０Ｃ…の種類の違いによってトレー１０Ａ、１０Ｂ、１０Ｃ…のように複数の種類になる。
【００３７】
図３に示す内視鏡３０は、主要部が挿入部２１及び操作部２２で構成された内視鏡２０とは異なり、挿入部３１、操作部３２及びユニバーサルコード３３により主要部が構成されている。この内視鏡３０は内視鏡管路内自動洗浄消毒機構に非対応な内視鏡３０である。内視鏡３０と前記内視鏡２０との違いを明確にするため、内視鏡３０をコード付き内視鏡３０と記載する。
【００３８】
図２の内視鏡２０の挿入部２１と図３のコード付き内視鏡３０の挿入部３１とは例えば径寸法及び長さ寸法が同寸法である。しかし、操作部２２の外形形状と操作部３２の外形形状とは全く異なっている。加えて、コード付き内視鏡３０は、ユニバーサルコード３３を備えている。
【００３９】
コード付き内視鏡３０の操作部３２には湾曲操作ノブ３４が設けられ、その湾曲操作ノブ３４の近傍には送気送水シリンダ３５、吸引シリンダ３６が設けられている。また、操作部３２の挿入部側には処置具用口金３７が設けられている。
【００４０】
送気送水シリンダ３５には、操作部３２内において、挿入部３１内を挿通する挿入部側送気管路及び挿入部側送水管路と、ユニバーサルコード３３内を挿通するコード側送気管路及びコード側送水管路とがそれぞれ連通している。
【００４１】
一方、吸引シリンダ３６には、操作部３２内において、挿入部３１内を挿通する処置具挿通管路を兼ねる挿入部側吸引管路と、ユニバーサルコード３３内を挿通するユニバーサルコード側吸引管路とがそれぞれ連通している。  
そして、挿入部側吸引管路の中途部には処置具用口金３７から延出された処置具チャンネル管路が連通している。
【００４２】
符号３８は内視鏡コネクタであり、ユニバーサルコード３３の基端に設けられている。  
コード付き内視鏡３０も内視鏡２０と同様に、口腔から挿入されるタイプ、鼻腔から挿入されるタイプ、或いは肛門から挿入されるタイプなど、タイプ毎に、挿入部３１の長さ寸法、外形寸法、又は操作部３２の外形形状等、形態が異なっている。即ち、コード付き内視鏡３０も、挿入部の径寸法、長さの違い、操作部の形状の違い等によってコード付き内視鏡３０Ａ、３０Ｂ、３０Ｃ…のように複数種類になる。
【００４３】
コード付き内視鏡３０が収容されるコード付き内視鏡用トレー（以下、コード付き用トレーと略記する）４０は、コード付き内視鏡３０を収容するための内視鏡収容部を備えている。コード付き用トレー４０の外形形状は、トレー１０と同形状であって、洗浄槽４に対して所定の位置に配設されるように形成されている。
【００４４】
コード付き用トレー４０は、底面１１と、外形壁面１２ａ、挿入部収容壁面１２ｂ及び操作部収容壁面１２ｃとを備えて構成されている。操作部収容部４１を構成する外形壁面１２ａの一部には後述する洗浄アダプタ５０を配設するためのアダプタ配設凹部４２が形成されている。
【００４５】
コード付き用トレー４０の内視鏡収容部は、前記挿入部収容部１３と操作部収容部４１と内視鏡コネクタ収容部４３とで構成されている。操作部収容部４１は、外形壁面１２ａと操作部収容壁面１２ｃとによって構成されている。  
なお、内視鏡コネクタ収容部４３には、内視鏡検査で使用され、シリンダ３５、３６から取り外された送気送水ボタン、吸引ボタンも収容される。
【００４６】
図３に示すようにコード付き用トレー４０の挿入部収容部１３の底面には複数の挿入部位置決め突起５が設けられ、操作部収容部４１の底面１１には操作部３２の配置位置を略設定する複数の操作部配置用突起８が設けられている。
【００４７】
挿入部収容部１３の底面に設けられる複数の挿入部位置決め突起５は、挿入部３１の配置位置を位置決めするためのものであり、挿入部３１の径寸法を考慮して配設されている。そして、径寸法が同じ寸法の挿入部であれば長さ寸法に関わらず、コード付き用トレー４０の挿入部収容部１３に設けられている複数の挿入部位置決め突起５に沿わせて挿入部３１を図７に示すように巻回して収容することが可能である。このとき、挿入部３１の長さ寸法の違いによって、巻回数と、挿入部先端の配置位置とが変化する。
【００４８】
なお、符号４４はユニバーサルコード用切り欠きであり、符号４２ａは接続チューブ用切り欠きである。また、コード付き用トレー４０は、収容されるコード付き内視鏡３０Ａ、３０Ｂ、３０Ｃ…の種類により挿入部収容部１３が変化する。したがって、コード付き用トレー４０は、コード付き内視鏡３０Ａ、３０Ｂ、３０Ｃ…の種類の違いによってコード付き用トレー４０Ａ、４０Ｂ、４０Ｃのように複数種類になる。
【００４９】
図３、図４に示すように洗浄アダプタ５０は、アダプタ本体５１と、複数の接続チューブ５２とによって主に構成されている。アダプタ本体５１の一側面には口金５３が複数設けられている。これら複数の口金５３は、内視鏡２０の操作部２２の基端側端部に設けられた送気管路、送水管路、及び前方送水管路用の口金２９と同形状で同位置に設けられている。接続チューブ５２は、アダプタ本体５１の他面側に設けられている図示しない口金に連通して固定されている。
【００５０】
アダプタ本体５１には、他面側に設けられている図示しない口金と口金５３とをそれぞれ連通する流体孔を備えている。第１接続チューブ５２ａの端部には連結部５４ａが設けられ、この連結部５４ａは例えば処置具用口金３７に配設される。第２接続チューブ５２ｂの端部には連結部５４ｂが設けられ、この連結部５４ｂは例えば送気送水シリンダ３５に配設される。第３接続チューブ５２ｃの端部には連結部５４ｃが設けられ、この連結部５４ｃは例えば吸引シリンダ３６に配設される。第４接続チューブ５２ｄの端部には連結部５４ｄが設けられ、この連結部５４ｄは例えば漏水検知用口金（不図示）に接続される。
【００５１】
図５に示すようにトレー１０及びコード付き用トレー４０に収容される内視鏡２０、３０には、それぞれ判別手段の送信デバイスとして、例えばＲＦＩＤ１９、ＲＦＩＤ３９が備えられている。
【００５２】
内視鏡２０に備えられたＲＦＩＤ１９には、内視鏡２０が流体供給ノズル９ｂに対応する口金２８及び流体供給ユニット９ａの複数のノズル９ｃに対応する複数の口金２９を備えていること、及び挿入部２１の径寸法、長さ寸法の情報等が記憶されている。一方、コード付き内視鏡３０に備えられたＲＦＩＤ３９には、コード付き内視鏡３０が流体供給ノズル９ｂ及び流体供給ユニット９ａに対応していないこと、及び挿入部２１の径寸法、長さ寸法の情報等が記憶されている。
【００５３】
装置本体２の洗浄槽４の底部所定位置には、判別手段の受信デバイスとして、例えばＲＦＩＤリーダ６１が備えられている。ＲＦＩＤリーダ６１は、ＲＦＩＤ１９、３９が所定距離に近接されると、このＲＦＩＤ１９、３９に記憶されている情報を読み取り、読み取った情報を装置本体２に設けられた制御部６２に出力する。
【００５４】
図６に示すように装置本体２には管路内自動洗浄消毒流路を構成するポンプ６３、第１切替弁６４、流体供給路６５、この流体供給路６５の中途に設けられた供給ノズル切替弁（以下、第２切替弁と記載する）６６が設けられている。第２切替弁６６は、制御部６２から出力される制御信号によって、流体供給路６５に供給された流体を流体供給ユニット９ａ側及び流体供給ノズル９ｂ側に供給する状態と、流体供給ユニット９ａ側のみに供給する状態とに切り替えられる構成になっている。制御部６２は、ポンプ６３の出力制御、切替弁６４、６６の切替制御を行う。そして、制御部６２には流量センサ６７から出力される検知信号が入力される。
【００５５】
また、制御部６２は、洗浄槽４に配設された例えば内視鏡２０の操作部２２に設けられている口金２９、２８に流体供給ユニット９ａ及び流体供給ノズル９ｂを着脱するに進退させる第１駆動装置６８、第２駆動装置６９の制御を行う。そして、制御部６２には第１検知センサ７０ａ、第２検知センサ７０ｂから出力される検知信号が入力される。
【００５６】
具体的に、第１検知センサ７０ａからの検知信号は、流体供給ユニット９ａの複数のノズル９ｃが複数の口金２９に接続されたとき、又は流体供給ユニット９ａの複数のノズル９ｃが洗浄アダプタ５０の複数の口金５３に接続されたとき制御部６２に出力される。第２検知センサ７０ｂからの検知信号は、流体供給ノズル９ｂが口金２８に接続されたとき、制御部６２に出力される。
【００５７】
そして、制御部６２にＲＦＩＤ１９からの情報が入力されると、制御部６２は制御信号を出力して、第２切替弁６６においては流体供給路６５に供給された流体を流体供給ユニット９ａ側及び流体供給ノズル９ｂ側に供給可能な状態にする制御、ポンプ６３を内視鏡２０の内視鏡管路を洗浄するのに最適な出力に切り替える制御、流体供給ユニット９ａを移動させるアクチュエータの制御及び流体供給ノズル９ｂを移動させるアクチュエータの制御を行う。
【００５８】
一方、制御部６２にＲＦＩＤ３９からの情報が入力されると、制御部６２は制御信号を出力して、第２切替弁６６においては流体供給路６５に供給された流体を流体供給ユニット９ａ側に供給可能な状態に切り替える制御、ポンプ６３をコード付き内視鏡３０の内視鏡管路を洗浄するのに最適な出力に切り替える制御、流体供給ユニット９ａを移動させるアクチュエータの制御及び流体供給ノズル９ｂを停止状態で保持する制御を行う。
【００５９】
上述のように構成した内視鏡洗浄消毒システムの作用を説明する。  
内視鏡洗浄消毒装置１で内視鏡２０を洗浄消毒する場合と、コード付き内視鏡３０を洗浄消毒する場合とについて説明する。
【００６０】
まず、内視鏡２０をトレー１０に収容して、内視鏡洗浄消毒装置１で内視鏡２０を洗浄消毒する場合について説明する。
【００６１】
ユーザは、使用済みの内視鏡２０をトレー１０に収容する。このとき、ユーザは、内視鏡２０の挿入部２１を、挿入部位置決め突起５に沿わせて挿入部収容部１３内に所定の巻回状態で収容する。また、内視鏡２０の操作部２２の切り欠き孔２４を係入凸部７に係入させて、操作部２２を操作部収容部１４に設けられた操作部位置決め突起６内に配置する。
【００６２】
次に、ユーザは、内視鏡２０が内視鏡収容部に収容されたトレー１０を、図１に示すように装置本体２の洗浄槽４内に配設し、トップカバー３を閉状態にする。
【００６３】
トレー１０が洗浄槽４内に配設されると、上述したようにＲＦＩＤリーダ６１近傍に内視鏡２０の備えるＲＦＩＤ１９が配置されて、ＲＦＩＤ１９に記憶されている情報がＲＦＩＤリーダ６１によって読み取られ、その情報がＲＦＩＤリーダ６１から制御部６２に出力される。
【００６４】
次いで、ユーザは、装置本体２に備えられている図示しない操作パネルにあるスタートスイッチを操作する。すると、装置本体２は、規定のプログラムにしたがって、洗浄工程、濯ぎ工程を開始する。
【００６５】
具体的に、スタートスイッチが押されると、装置本体２の制御部６２は、流体供給ユニット９ａの複数のノズル９ｃを複数の口金２９に装着するために図示しないソレノイドを駆動させると共に、流体供給ノズル９ｂを口金２８に装着するために図示しないソレノイドを駆動させる。また、制御部６２は、第２切替弁６６を切り替えてタンクから流体供給路６５に供給される洗浄液等が流体供給ユニット９ａ側及び流体供給ノズル９ｂ側に供給されるようにするとともに、ポンプ６３の出力を内視鏡２０用に調整する。
【００６６】
そして、流体供給ユニット９ａのノズル９ｃが口金２９に接続され、流体供給ノズル９ｂが口金２８に接続される。すると、検知センサ７０ａ、７０ｂから検知信号が出力され、その検知信号が制御部６２に入力される。ここで、制御部６２は、流体供給ユニット９ａのノズル９ｃが口金２９に装着されたこと、及び流体供給ノズル９ｂが口金２８に装着されたことを確認して、洗浄を開始する。
【００６７】
すなわち、洗浄槽４内に洗浄液が送液されるとともに、洗浄液が流体供給ユニット９ａ及び流体供給ノズル９ｂに送液される。
【００６８】
洗浄槽４に送液される洗浄液によって、内視鏡２０の外表面が洗浄され、流体供給ユニット９ａ及び流体供給ノズル９ｂから送液された洗浄液によって、内視鏡２０の各種管路内が洗浄される。
【００６９】
次に、コード付き内視鏡３０をコード付き用トレー４０に収容して、内視鏡洗浄消毒装置１でコード付き内視鏡３０を洗浄消毒する場合について説明する。
【００７０】
ユーザは、図７に示すように使用済みのコード付き内視鏡３０をコード付き用トレー４０に収容する。このとき、ユーザは、コード付き内視鏡３０の挿入部３１を、挿入部位置決め突起５に沿わせて挿入部収容部１３内に所定の巻回状態で収容する。また、コード付き内視鏡３０の操作部３２を操作部収容部４１に設けられた操作部位置決め突起６内に配置する。さらに、ユニバーサルコード３３を挿入部３１が巻回されている挿入部収容部１３内に所定の巻回状態で収納した後、ユニバーサルコード３３の基端部をユニバーサルコード付き用切り欠き４４に挿入して内視鏡コネクタ３８を内視鏡コネクタ収容部４３に収容する。
【００７１】
次に、ユーザは、洗浄アダプタ５０をアダプタ配設凹部４２に配設する。このとき、ユーザは、手作業で洗浄アダプタ５０に設けられている第１接続チューブ５２ａの連結部５４ａを処置具用口金３７に接続し、第２接続チューブ５２ｂの連結部５４ｂを送気送水シリンダ３５に接続し、第３接続チューブ５２ｃの連結部５４ｃを吸引シリンダ３６に接続し、第４接続チューブ５２ｄの連結部５４ｄを漏水検知用口金に接続する。
【００７２】
次いで、ユーザは、コード付き内視鏡３０が内視鏡収容部に収容され、洗浄アダプタ５０がアダプタ配設凹部４２に配設されたコード付き用トレー４０を、図８に示すように装置本体２の洗浄槽４内に配設し、トップカバー３を閉状態にする。
【００７３】
コード付き用トレー４０が洗浄槽４内に配設されると、上述したように、ＲＦＩＤリーダ６１近傍にコード付き内視鏡３０が備えるＲＦＩＤ３９が配置されて、ＲＦＩＤ３９に記憶されている情報がＲＦＩＤリーダ６１によって読み取られ、その情報がＲＦＩＤリーダ６１から制御部６２に出力される。
【００７４】
次いで、ユーザは、装置本体２に備えられている図示しない操作パネルにあるスタートスイッチを操作する。すると、装置本体２は、規定のプログラムにしたがって、洗浄工程、濯ぎ工程を開始する。
【００７５】
具体的に、スタートスイッチが押されると、装置本体２の制御部６２は、流体供給ユニット９ａの複数のノズル９ｃを洗浄アダプタ５０が備える複数の口金５３に装着するために図示しないソレノイドを駆動させる一方、流体供給ノズル９ｂを停止状態に保持する制御を行う。また、制御部６２は、第２切替弁６６を切り替えて流体供給路６５に供給された流体が流体供給ユニット９ａ側にだけ供給されるようにするとともに、ポンプ６３の出力をコード付き内視鏡３０用に調整する。
【００７６】
そして、流体供給ノズル９ｂが移動することなく、流体供給ユニット９ａだけが移動してノズル９ｃがそれぞれの口金５３に接続される。すると、検知センサ７０ａから検知信号が出力され、その検知信号が制御部６２に入力される。ここで、制御部６２は、流体供給ユニット９ａのノズル９ｃが口金５３に装着されたことを確認すると、洗浄を開始する。
【００７７】
すなわち、洗浄槽４に洗浄液が送液されるとともに、洗浄液が流体供給ユニット９ａに送液される。
【００７８】
このことによって、コード付き内視鏡３０の外表面及び流体供給ユニット９ａから送液された洗浄液によって、コード付き内視鏡３０の各種管路内が洗浄される。  
なお、内視鏡洗浄消毒装置１によるコード付き内視鏡３０の洗浄消毒を終了した後、洗浄アダプタ５０は廃棄される。
【００７９】
このように、内視鏡管路内自動洗浄消毒機構に対応する内視鏡を収容するトレーの他に、内視鏡管路内自動洗浄消毒機構に非対応のコード付き内視鏡を洗浄消毒の際に収容するコード付き用トレーと洗浄アダプタとを用意する。
【００８０】
そして、使用済みのコード付き内視鏡を洗浄消毒する際、コード付き内視鏡をコード付き用トレーの内視鏡収容部に収容すると共に、内視鏡収容部に収容された内視鏡の送気送水シリンダ、吸引シリンダ、処置具用口金等に洗浄アダプタに設けられている接続チューブの連結部を連結する。加えて、洗浄アダプタのアダプタ本体をアダプタ配設部に配設する。
【００８１】
次に、コード付き内視鏡を内視鏡収容部に収容したコード付き用トレーを内視鏡洗浄消毒装置の洗浄槽に配設する。  
このことにより、流体供給ユニットのノズルが洗浄アダプタの口金に自動で接続させてコード付き内視鏡の内視鏡管路内の洗浄消毒を内視鏡管路内自動洗浄消毒機構を備えた内視鏡洗浄消毒装置で行うことができる。
【００８２】
また、内視鏡とコード付き内視鏡にＲＦＩＤを設け、装置本体の洗浄槽の底部にＲＦＩＤを設けたことによって、洗浄槽にトレーが配設されたとき、トレーに収容されている内視鏡を識別して、内視鏡の内視鏡管路、又はコード付き内視鏡の内視鏡管路に供給する流体圧を適宜制御して内視鏡管路内の洗浄消毒を最適な条件で行うことができる。
【００８３】
なお、コード付き内視鏡においては、コード付き内視鏡に新たにＲＦＩＤを設ける代わりに、コード付き内視鏡を収容するコード付き用トレーにＲＦＩＤを設けるようにしてもよい。
【００８４】
図９乃至図１２は本発明の第２実施形態に係り、図９は内視鏡及びコード付き内視鏡を洗浄消毒する内視鏡洗浄消毒装置を説明する図、図１０は内視鏡管路内自動洗浄消毒機構と複数の管路洗浄ポートとを備えた内視鏡洗浄消毒装置本体を説明する図、図１１はコード付き内視鏡を内視鏡洗浄消毒装置の洗浄槽に配置した状態を説明する図、図１２は管路内洗浄ポートと接続チューブと、接続チューブ検知手段との関係を説明する図である。
【００８５】
図９、図１０に示すように本実施形態の内視鏡洗浄消毒装置１Ａは、内視鏡２０とコード付き内視鏡３０とを洗浄消毒可能にするため、内視鏡管路内自動洗浄消毒機構を構成する流体供給ユニット９ａ及び流体供給ノズル９ｂに加えて、複数の管路内洗浄ポート７１〜７３と、漏水検知用ポート７４とを備えている。各ポート７１〜７４はコード付き内視鏡供給路６５ａに連通している。
【００８６】
内視鏡洗浄消毒装置１Ａは洗浄槽４を備え、この洗浄槽４に前記トレー１０が配設可能である。内視鏡洗浄消毒装置１Ａを構成する装置本体２は、洗浄槽４近傍の平坦部４ａに例えば３つの管路内洗浄ポート７１、７２、７３と漏水検知用ポート７４とを備えている。
【００８７】
本実施形態の装置本体２にはノズル／ポート切替弁６４ａが備えられている。ノズル／ポート切替弁６４ａは、制御部６２から出力される制御信号によって、タンクから供給される洗浄液或いは消毒液等の流体を流体供給ユニット９ａ側及び流体供給ノズル９ｂを備える流体供給路６５側に供給する状態と、ポート７１〜７４を備えるコード付き内視鏡供給路６５ａ側に供給する状態とに切り替えられる構成になっている
内視鏡洗浄消毒装置１Ａは、各ポート７１〜７４に接続される接続チューブ７５、７６と、コード付き内視鏡３０が載置される保持網８０とを備えている。第１接続チューブ７５は、管路内洗浄ポート７１、７２、７３用であり、第２接続チューブ７６は漏水検知用である。
【００８８】
保持網８０は、例えば、細長な針金部材で形成されている。保持網８０には、環状載置部８１と、環状載置部８１の一部から突出した突出載置部８２とで主に構成されている。
【００８９】
図９、図１１に示すように保持網８０の突出載置部８２は、ポート７１〜７４側に配置される。環状載置部８１には、コード付き内視鏡３０の操作部３２が載置されるとともに、挿入部３１及びユニバーサルコード３３が巻回されて載置される。ユニバーサルコード３３の基端に設けられた内視鏡コネクタ３８は突出載置部８２に載置される。
【００９０】
保持網８０を洗浄槽４の所定位置に配置することにより、保持網８０に載置されたコード付き内視鏡３０が消毒槽４内の適切な位置にセッティングされる。  
なお、突出載置部８２には、シリンダ３５、３６から取り外された送気送水ボタン、吸引ボタンが載置される。
【００９１】
図９に示すように第１接続チューブ７５の一端部には前記連結部５４ａ〜５４ｃと同様の連結部７８ａ、７８ｂ、７８ｃが設けられている。第２接続チューブ７６の端部には前記連結部５４ｄと同様の連結部７８ｄが設けられている。
【００９２】
接続チューブ７５、７６の他端部にはポート接続部７９ａ、７９ｂが設けられている。第１接続チューブ７５のポート接続部７９ａが接続される管路内洗浄ポート７１〜７３及び第２接続チューブ７６のポート接続部７９ｂが接続される漏水検知用ポート７４には図１２に示すように接続チューブ検知手段として、リミットスイッチ７７を備えている。
【００９３】
例えば、第１管路内洗浄ポート７１に第１接続チューブ７５のポート接続部７９ａが所定の状態で接続されると、リミットスイッチ７７に備えられている進退スイッチ７７ａが押し込まれた状態になる。すると、リミットスイッチ７７から制御部６２に検知信号が出力される。制御部６２は、リミットスイッチ７７から出力された検知信号が入力されると、ポンプ６３、ノズル／ポート切替弁６４ａを制御する。
【００９４】
具体的に、制御部６２は、第１管路内洗浄ポート７１のリミットスイッチ７７からの検知信号が制御部６２に入力されると、コード付き内視鏡３０の洗浄を行うと判定して、ノズル／ポート切替弁６４ａをポート７１〜７４を備えるコード付き内視鏡供給路６５ａ側に流体が供給される状態に切り替えるとともに、ポンプ６３の出力をコード付き内視鏡３０用に調整する。また、流体供給ユニット９ａ及び流体供給ノズル９ｂを停止状態に保持する制御を行う。
【００９５】
なお、制御部６２は、第２管路内洗浄ポート７２のリミットスイッチ７７からの検知信号、或いは第３管路内洗浄ポート７３のリミットスイッチ７７からの検知信号、或いは漏水検知用ポート７４のリミットスイッチ７７からの検知信号の何れか１つが制御部６２に入力されると、上述した制御を行う。つまり、本実施形態の接続チューブ検知手段は、内視鏡管路自動洗浄消毒機構に対応する内視鏡であるか否かを判別する判別手段を兼ねている。  
その他の構成は、前記第１実施形態と同様であり、同部材には同符号を付して説明を省略する。
【００９６】
本実施形態の内視鏡洗浄消毒装置１Ａの作用を説明する。  
内視鏡洗浄消毒装置１Ａで内視鏡２０を洗浄消毒する場合と、コード付き内視鏡３０を洗浄消毒する場合とについて説明する。
【００９７】
まず、内視鏡２０をトレー１０に収容して、内視鏡洗浄消毒装置１Ａで内視鏡２０を洗浄消毒する場合について説明する。
【００９８】
本実施形態においても、内視鏡２０の洗浄消毒は上述した実施形態と同様に自動で行われる。すなわち、使用済みの内視鏡２０は、上述の実施形態と同様にユーザによってトレー１０に収容される。その後、ユーザは、内視鏡２０が収容されたトレー１０を装置本体２の洗浄槽４内に配設し、トップカバー３を閉状態にする。
【００９９】
トレー１０が洗浄槽４内に配設されると、ＲＦＩＤ１９に記憶されている情報がＲＦＩＤリーダ６１によって読み取られ、その情報がＲＦＩＤリーダ６１から制御部６２に出力される。
【０１００】
次に、ユーザは、装置本体２に備えられている図示しない操作パネルにあるスタートスイッチを操作する。すると、装置本体２の制御部６２は、流体供給ユニット９ａの複数のノズル９ｃを複数の口金２９に装着するために図示しないソレノイドを駆動させると共に、流体供給ノズル９ｂを口金２８に装着するために図示しないソレノイドを駆動させる。また、制御部６２は、ノズル／ポート切替弁６４ａを切り替えてタンクから供給される洗浄液等が流体供給ユニット９ａ側及び流体供給ノズル９ｂ側に供給されるよう切り替えるとともに、ポンプ６３の出力を内視鏡２０用に調整する。
【０１０１】
そして、流体供給ユニット９ａのノズル９ｃが口金２９に接続され、流体供給ノズル９ｂが口金２８に接続される。すると、検知センサ７０ａ、７０ｂから検知信号が出力され、その検知信号が制御部６２に入力される。ここで、制御部６２が、流体供給ユニット９ａのノズル９ｃが口金２９に装着されたこと、及び流体供給ノズル９ｂが口金２８に装着されたことを確認すると、洗浄を開始する。
【０１０２】
すなわち、洗浄槽４内に洗浄液が送液されるとともに、洗浄液が流体供給ユニット９ａ及び流体供給ノズル９ｂに送液されて、内視鏡２０の外表面及び各種管路内が洗浄される。
【０１０３】
次に、コード付き内視鏡３０を内視鏡洗浄消毒装置１Ａで洗浄消毒する場合について説明する。
【０１０４】
ユーザは、図１１に示すように使用済みのコード付き内視鏡３０を保持網８０に載置する。このとき、ユーザは、コード付き内視鏡３０の操作部３２を環状載置部８１に載置し、挿入部３１及びユニバーサルコード３３を環状載置部８１に巻回状態で載置し、内視鏡コネクタ３８を突出載置部８２に載置する。そして、コード付き内視鏡３０が載置された保持網８０を装置本体２の洗浄槽４内に配設する。
【０１０５】
次に、ユーザは、接続チューブ７５、７６のポート７１〜７４への取り付け、及び送気送水シリンダ３５、吸引シリンダ３６、処置具用口金３７、図示しない漏水検知用口金への接続を手作業で行う。
【０１０６】
本実施形態においては、図１０、図１１に示すように例えば、第１接続チューブ７５の連結部７８ａを処置具用口金３７に接続してポート接続部７９ａを第３管路内洗浄ポート７３に接続し、第１接続チューブ７５の連結部７８ｂを送気送水シリンダ３５に接続してポート接続部７９ａを第２管路内洗浄ポート７２に接続し、第１接続チューブ７５の連結部７８ｃを吸引シリンダ３６に接続してポート接続部７９ａを第１管路内洗浄ポート７１に接続し、第２接続チューブ７６の連結部７８ｄを漏水検知用口金に接続してポート接続部７９ｂを漏水検知用ポート７４に接続する。
【０１０７】
ユーザは、接続チューブ７５、７６のポート７１〜７４への取り付け、及びシリンダ３５、３６、処置具用口金３７、漏水検知用口金への接続を完了したならトップカバー３を閉状態にする。
【０１０８】
第１接続チューブ７５のポート接続部７９ａを第３管路内洗浄ポート７３に接続したこと、第１接続チューブ７５のポート接続部７９ａを第２管路内洗浄ポート７２に接続したこと、第１接続チューブ７５のポート接続部７９ａを第１管路内洗浄ポート７１に接続したこと、及び第２接続チューブ７６のポート接続部７９ｂを漏水検知用ポート７４に接続したことによって、各ポート７１〜７４に設けられているリミットスイッチ７７から制御部６２に検知信号が出力される。
【０１０９】
次いで、ユーザは、装置本体２に備えられている図示しない操作パネルにあるスタートスイッチを操作する。すると、装置本体２の制御部６２は、ノズル／ポート切替弁６４ａを切り替えてタンクから供給される洗浄液等が、ポート７１〜７４を備えるコード付き内視鏡供給路６５ａ側に供給されるよう切り替えるとともに、ポンプ６３の出力をコード付き内視鏡３０用に調整して洗浄を開始する。すると、洗浄槽４に洗浄液が送液されるとともに、洗浄液がポート７１〜７４側に送液されて、コード付き内視鏡３０の外表面及び各種管路内が洗浄される。このとき、流体供給ユニット９ａ及び流体供給ノズル９ｂは、制御部６２によって停止状態に保持される。  
なお、内視鏡洗浄消毒装置１Ａによるコード付き内視鏡３０の洗浄消毒を終了した後、接続チューブ７５、７６は廃棄される。
【０１１０】
このように、内視鏡管路内自動洗浄消毒機構を備える装置本体に、内視鏡管路内自動洗浄消毒機構に非対応のコード付き内視鏡が備える内視鏡管路を洗浄消毒するための各種ポートを設ける。そして、使用済みのコード付き内視鏡を洗浄消毒する際、コード付き内視鏡を保持網に載置して洗浄槽内に配設すると共に、洗浄槽に配設された内視鏡の送気送水シリンダ、吸引シリンダ、処置具用口金等と各種ポートとを接続チューブで連結する。
【０１１１】
このことにより、コード付き内視鏡の外表面及び内視鏡管路内の洗浄消毒を内視鏡管路内自動洗浄消毒機構を備えた内視鏡洗浄消毒装置で行うことができる。
【０１１２】
なお、前記実施形態においては、接続チューブ検知手段を、リミットスイッチ７７としている。しかし、接続チューブ検知手段はリミットスイッチ７７に限定されるものではなく、図１３に示す光センサ、又は磁気センサ、或いは図１４に示すＲＦＩＤとＲＦＩＤリーダとであってもよい。
【０１１３】
図１３は接続チューブ検知手段の他の構成を説明する図であり、本実施形態の接続チューブ検知手段は、磁気センサ７７Ｂであり、ポート接続部７９ａに設けられた例えば磁石７７ｃの磁力を磁気センサ７７Ｄが検知したとき、制御部６２に検知信号を出力する。なお、ポート接続部７９ａに磁石７７ｃの代わりにコイルを設けるようにしてもよい。
【０１１４】
本実施形態においては、平坦部４ａに貫通孔を開けることなく、ポートにポート接続部が接続されたか否かを検出することができる。
【０１１５】
なお、磁気センサの代わりに光センサを設ける場合には、平坦部４ａの所定位置に貫通孔を開け、検出光を貫通孔から出射させる。この構成において、光センサは、貫通孔から出射された検出光の反射光を検知したとき、制御部６２に検知信号を出力する。
【０１１６】
図１４は接続チューブ検知手段の別の構成を説明する図であり、本実施形態の接続チューブ検知手段は、ポート接続部７９ａに設けられた送信デバイスであるＲＦＩＤ７７ｄと、平坦部４ａに設けられた受信デバイスであるＲＦＩＤリーダ７７ｅである。
【０１１７】
ＲＦＩＤリーダ７７ｅは、ポート接続部７９ａのＲＦＩＤ７７ｄが近接配置されたとき、制御部６２に検知信号を出力する。本実施形態においても、平坦部４ａに貫通孔を開けることなく、ポートにポート接続部が接続されたか否かを検出することができる。
【０１１８】
ところで、内視鏡管路自動洗浄消毒機構に対応する内視鏡であるか否かを判別する判別手段を接続チューブ検知手段で兼用する上記第２実施形態においては、ポートの数だけ例えばリミットスイッチを設けなければならない。そのため、装置本体の構成が複雑になると共に、内視鏡洗浄消毒装置が高価になる。
【０１１９】
その不具合を解消するため、洗浄槽に配設された内視鏡が、内視鏡管路自動洗浄消毒機構に対応する内視鏡であるか否かを以下に示すように判断するようにしても良い。
【０１２０】
内視鏡洗浄消毒装置１Ａで内視鏡２０を洗浄消毒する場合と、コード付き内視鏡３０を洗浄消毒する場合とにおいて、制御部６２は流量センサ６７が検出する流量から洗浄槽に配設された内視鏡が、内視鏡管路自動洗浄消毒機構に対応する内視鏡であるか否かを判定し、その後、洗浄を行う。
【０１２１】
具体的に、ユーザが、装置本体２の洗浄槽４内に内視鏡２０又はコード付き内視鏡３０を配設した後、トップカバー３を閉状態にして、スタートスイッチを操作する。すると、制御部６２は、規定のプログラムを実行する以前に、内視鏡判定プログラムを実行する。図１５は内視鏡判定プログラムによって内視鏡を判定するフローチャートである。
【０１２２】
内視鏡判定プログラムが実行されると、制御部６２は、図１５のステップＳ１に示すようにノズル／ポート切替弁６４ａに制御信号を出力して、タンクから供給される洗浄液等の流体が、流体供給ユニット９ａ側及び流体供給ノズル９ｂを備える流体供給路６５側に供給される状態にする。その後、ステップＳ２に移行してポンプ６３の出力を内視鏡２０用に調整して洗浄液の送液を行う。
【０１２３】
洗浄液の送液が開始されると、ステップＳ３に示すように流量センサ６７によって流量の計測が行われる。そして、流量センサ６７から制御部６２に計測結果が出力される。
【０１２４】
制御部６２は、ステップＳ４に示すように流量センサ６７から出力された計測結果と、予め、登録されている設定値とを比較する。設定値は、流体供給路６５に供給された洗浄液が流体供給ユニット９ａの複数のノズル９ｃ及び流体供給ノズル９ｂから内視鏡管路内に供給される流量である。
【０１２５】
制御部６２は、ステップＳ４において、計測結果と設定値とが近似していた場合にはステップＳ５に移行して、洗浄槽４に配設された内視鏡が内視鏡管路自動洗浄消毒機構に対応する内視鏡であると判定して、内視鏡判定プログラムを終了させて、規定のプログラムによる洗浄を開始する。
【０１２６】
一方、ステップＳ４において、計測結果が設定値に比べて大きい場合には、ステップＳ６に移行して、洗浄槽４に配設された内視鏡が内視鏡管路自動洗浄消毒機構に非対応な内視鏡であると判定して、内視鏡判定プログラムを終了させる。その後、制御部６２は、ノズル／ポート切替弁６４ａに制御信号を出力して、タンクから供給される洗浄液等が、ポート７１〜７４を備えるコード付き内視鏡供給路６５ａ側に供給されるよう切り替えるとともに、ポンプ６３の出力をコード付き内視鏡３０用に調整し、規定のプログラムによる洗浄を開始する。
【０１２７】
なお、流体供給ユニット９ａの複数のノズル９ｃ及び流体供給ノズル９ｂが内視鏡管路の口金に接続されていない場合、内視鏡管路による管路抵抗が無くなるので洗浄液の流量の計測結果が設定値に比べて大きくなる。
【０１２８】
また、上述した実施形態においては、ステップＳ１においてノズル／ポート切替弁６４ａを流体供給路６５側に供給される状態に切り替えるとしているが、ノズル／ポート切替弁６４ａをコード付き内視鏡供給路６５ａ側にして判定を行うようにしてもよい。この場合、コード付き内視鏡３０の管路抵抗が内視鏡２０の管路抵抗よりも大きいので、より確実に、洗浄槽４に配設された内視鏡が内視鏡管路自動洗浄消毒機構に非対応な内視鏡であるか否かの判定を行うことができる。  
このように、内視鏡判定プログラムに基づいて、制御部が所定の制御を行うことによって、洗浄槽に配設された内視鏡が内視鏡管路自動洗浄消毒機構に対応する内視鏡であるか否かを判定することができる。  
このことによって、装置本体の構成を単純にして、安価な内視鏡洗浄消毒装置を提供することが可能になる。
【０１２９】
尚、本発明は、以上述べた実施形態のみに限定されるものではなく、発明の要旨を逸脱しない範囲で種々変形実施可能である。
【図面の簡単な説明】
【０１３０】
【図１】図１乃至図８は本発明の第１実施形態に係り、図１は内視鏡管路内自動洗浄消毒機構を備える内視鏡洗浄消毒装置の洗浄槽に内視鏡を配設した状態の内視鏡洗浄消毒システムを説明する図
【図２】内視鏡管路内自動洗浄消毒機構に対応する内視鏡と、この内視鏡が収容される内視鏡収容部を備えるトレーとを説明する図
【図３】内視鏡管路内自動洗浄消毒機構に非対応な内視鏡と、この内視鏡が収容される内視鏡収容部を備えるトレーとを説明する図
【図４】洗浄アダプタの構成を説明する図
【図５】内視鏡に設けられるＲＦＩＤと、内視鏡洗浄消毒装置本体に設けられるＲＦＩＤリーダとの関係を説明する図
【図６】内視鏡洗浄消毒装置本体に備えられた内視鏡管路内自動洗浄消毒機構を説明する図
【図７】図３に示した内視鏡を図３に示すトレーの内視鏡収容部に収容した状態を示す図
【図８】内視鏡洗浄消毒装置本体の洗浄槽に図３に示した内視鏡を収容したトレーを配設した状態を説明する図
【図９】図９乃至図１２は本発明の第２実施形態に係り、図９は内視鏡及びコード付き内視鏡を洗浄消毒する内視鏡洗浄消毒装置を説明する図
【図１０】内視鏡管路内自動洗浄消毒機構と複数の管路洗浄ポートとを備えた内視鏡洗浄消毒装置本体を説明する図
【図１１】コード付き内視鏡を内視鏡洗浄消毒装置の洗浄槽に配置した状態を説明する図
【図１２】管路内洗浄ポートと接続チューブと、接続チューブ検知手段との関係を説明する図
【図１３】接続チューブ検知手段の他の構成を説明する図
【図１４】接続チューブ検知手段の別の構成を説明する図
【図１５】内視鏡判定プログラムによって内視鏡を判定するフローチャート
【図１６】内視鏡洗浄消毒装置本体に備えられた内視鏡管路内自動洗浄消毒機構を説明する図
【符号の説明】
【０１３１】
１…内視鏡洗浄消毒装置    ２…装置本体    ４…洗浄槽    ９ａ…流体供給ユニット
９ｂ…流体供給ノズル    ９ｃ…ノズル    １０…トレー    １９…ＲＦＩＤ    
２０…内視鏡    ２１…挿入部    ２２…操作部    ２８…処置具用口金    ２９…口金
３０…コード付き内視鏡    ３１…挿入部    ３２…操作部    
３３…ユニバーサルコード    ３５…送気送水シリンダ    ３６…吸引シリンダ
３７…処置具用口金    ３８…内視鏡コネクタ    ３９…ＲＦＩＤ    
４０…コード付き用トレー    ４２…アダプタ配設凹部    ５０…洗浄アダプタ
５１…アダプタ本体    ５２…接続チューブ    ５３…口金    
５４ａ、５４ｂ、５４ｃ、５４ｄ…連結部    ６１…ＲＦＩＤリーダ    ６２…制御部
【図１】
0005165399.tif 000002
【図２】
0005165399.tif 000003
【図３】
0005165399.tif 000004
【図４】
0005165399.tif 000005
【図５】
0005165399.tif 000006
【図６】
0005165399.tif 000007
【図７】
0005165399.tif 000008
【図８】
0005165399.tif 000009
【図９】
0005165399.tif 000010
【図１０】
0005165399.tif 000011
【図１１】
0005165399.tif 000012
【図１２】
0005165399.tif 000013
【図１３】
0005165399.tif 000014
【図１４】
0005165399.tif 000015
【図１５】
0005165399.tif 000016
【図１６】
0005165399.tif 000017